(57)【要約】      （修正有）【課題】罠装置を小型化するとともに確実な作動を可能とする動物捕獲罠用ワイヤ装置を提供する。【解決手段】動物捕獲罠用ワイヤ装置は、１条の捕獲ワイヤの両端を接続してワイヤループ１０を形成する係止部１３と、ワイヤループの片側に形成される環状部１１と係止部との間に、バネ付勢ネジ３３、バネ固定具３２、バネ保持筒３１、バネ３０、及びワイヤ収束金具２０を配置したことを特徴とする。【選択図】図１
0003197593.tif 000002
【実用新案登録請求の範囲】
【請求項１】
１条の捕獲ワイヤの両端を接続してワイヤループを形成する係止部と、前記ワイヤループの片側に形成される環状部との間に、バネ付勢ネジ、バネ固定具、バネ保持筒、バネ、及びワイヤ収束金具を配置したことを特徴とする動物捕獲罠用ワイヤ装置。
【請求項２】
前記ワイヤ収束金具は有底円筒状であり、底部に長穴の開口部が形成されていることを特徴とする請求項１記載の動物捕獲罠用ワイヤ装置。
【請求項３】
前記ワイヤ収束金具の長穴は、内側面積よりも外側面積が大きいことを特徴とする請求項２記載の動物捕獲罠用ワイヤ装置。
【考案の詳細な説明】
【技術分野】
【０００１】  本考案は、猪、鹿等の有害野生動物を捕獲するための罠に使用するワイヤ装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、半円形のワイヤーガード２本を向かい合わせて取り付けた木製の円形板を、塩化ビニル製の円柱状器具の中にはめ込んだことを特徴とする野性動物捕獲用具が開示されている。この装置では、縮径方向に付勢されたワイヤをワイヤーガードの周囲に巡らせ、動物が円形板を踏んだ際にワイヤーガードが上方に跳ね上がるとともにワイヤーを発射し、付勢力によりワイヤーが動物の脚にからまるという原理になっている。この罠装置に使用するワイヤーについては同文献の図７に示されているように、ワイヤーの一端に縮径可能なループを設け、スプリングガードに設置したスプリングの反発力によりループを縮径させる構成となっている。この文献ではこのワイヤーについての詳細な説明はないが、市販されているワイヤーでは、ワイヤーの一端をワイヤー自身に縮径自在に係止し、ワイヤーの他端をスプリング及びスプリングガードを通して罠固定用のワイヤーに接続するために引き出している。この文献において使用されるワイヤーは、ワイヤーの片側だけをスプリングにより引き絞るため、ワイヤーを縮径させるための長さが長くなり、全体として罠装置が大型になってしまうという問題点がある。【０００４】  また、特許文献２には、先導罠と主導罠とを用いた捕獲具が開示されており、このうちの先導罠については、ワイヤの両端を作動外筒とその内部のバネを通して引き出していることが示されている。従って、動物捕獲罠装置用のワイヤとしては、特許文献１のようなシングル縮径タイプと特許文献２に示されるようなダブル縮径タイプが知られている。【０００５】  特許文献３には、捕獲動物の肢を括る捕獲部ループを結合部で元のロープ状部材と固定結合した形状のループと有底円筒状の形状で底部対角に前記捕獲部ループ左右のロープ状部材を通す穴が２か所あり捕獲部ループの２本のロープ状部材に沿ってスライドするバネキャップを組み合わせることで、捕獲部ループの左右ロープ状部材を同時に絞まることを特徴とする両引き式くくり罠が提案されている。この文献はダブル縮径タイプの罠装置に関するものであるが、ワイヤの捕獲ループが縮径する際に、ワイヤをバネに導く部分において長穴型のガイドリングと２条のワイヤがそれぞれ通過する２箇所の穴を有するバネキャップの両方を通過する必要があり、摩擦抵抗が大きくなるためバネの力が減弱される。また、ワイヤの一端は、バネの途中でもう一方のワイヤに固定されているため、ワイヤが作動する際にバネに引っかかりやすいという問題点がある。
【特許文献】
【０００６】
【特許文献１】実用新案登録第３１２３６７９号公報
【特許文献２】特開２００３−１３４９８５号公報
【特許文献３】実用新案登録第３１９２１１１号公報
【考案の開示】
【考案が解決しようとする課題】
【０００７】  本考案は上記従来技術の問題点に鑑みてなされたものであり、罠装置を小型化するとともに確実な作動を可能とする動物捕獲罠用ワイヤ装置を提供することを課題とする。
【課題を解決するための手段】
【０００８】  上記課題を解決するため本考案による動物捕獲罠用ワイヤ装置は、１条の捕獲ワイヤの両端を接続してワイヤループを形成する係止部と、前記ワイヤループの片側に形成される環状部との間に、バネ付勢ネジ、バネ固定具、バネ保持筒、バネ、及びワイヤ収束金具を配置したことを特徴とする。【０００９】  前記ワイヤ収束金具は有底円筒状であり、底部に長穴の開口部が形成されていることが好適である。また、前記ワイヤ収束金具の長穴は、内側面積よりも外側面積が長いことも望ましい。
【考案の効果】
【００１０】  本考案による動物捕獲罠用ワイヤ装置は、ループ状ワイヤの両側を同時に引き絞るため、ワイヤを縮径させる長さが半分にできるだけでなく、ワイヤ環状部と直線部との間に配置したワイヤ収束金具に２本のワイヤ径よりも大きな長穴を設け、さらにこの長穴の外側面積を内側面積より大きくする、すなわち長穴が外側に向かって広がるように構成することにより、ワイヤ収束金具とワイヤとの摩擦を低減してワイヤの作動を円滑にできる。さらに、ワイヤをバネやバネ保持具の外側まで二重のままで通すことにより、バネやバネ保持具内に突出部がないため、バネやワイヤの作動が円滑となる。また、ワイヤの縮径長さを調整するバネ付勢ネジは２本のワイヤを同時に締め付ける構成となるため、バネ付勢ネジとワイヤとの接触面積が増大し、ネジの締め付け効果が増す。
【考案を実施するための最良の形態】
【実施例】
【００１１】  以下、図面に基づいて本考案の好適な実施例について説明する。図１に本考案による動物捕獲罠用ワイヤ装置の全体図を示す。１条の捕獲ワイヤ１０は、二重にして係止部１３で固着することにより全体をループ状とする。ループ状捕獲ワイヤ１０の先端部には動物の脚に直接絡まる部分となる環状部１１を設け、その一箇所にストッパー１４を配置して環状部１１が一定の直径以下に縮径されないようにする。この二重のワイヤ片の両方を収納するように、バネ付勢ネジ３３、バネ固定具３２、バネ保持筒３１、バネ３０及びワイヤ収束金具２０を配置する。【００１２】  係止部１３から最も遠い側にはワイヤ収束金具２０を配置する。この金具は有底円筒状に形成されており、底部に長穴からなる開口部２１が形成されている。このワイヤ収束金具２０については、図２（ａ）に断面図、（ｂ）に平面図を示す。開口部２１の外側面積を内側面積より大きくする、すなわち長穴が外側に向かって広がるように構成することが好適である。このワイヤ収束金具２０の円筒部には二重ワイヤ片を包含するコイルバネ３０の端部が収納され、バネ固定具としても機能する。【００１３】  コイルバネ３０はまた、バネ保持筒３１を通してバネ固定具３２まで伸びており、反対側端部がバネ固定具３２により固定されている。バネ保持筒３１は円筒状に形成されており、バネ３４の伸縮を支持する。バネ固定具３２はワイヤ収束金具２０とほぼ同様の形状であるが、開口部が外側に向かって広がる必要はない。バネ固定具３２に隣接してバネ付勢ネジ３３が配置される。バネ付勢ネジ３３は、締め付けることにより二重のワイヤ片の両方に係止し、バネ固定具３２の位置を固定する役割を果たす。【００１４】  係止部１３の外側、すなわちバネ付勢ネジ３３の反対側には接続用ループ１２を設ける。接続用ループ１２は捕獲ワイヤループ１０の一部を使用して形成しても良いし、また別の部材を使用することも可能である。接続用ループ１２は、やはり接続ループ５１を有する罠固定用ワイヤ５０とねじれ防止金具４０により接続される。接続ループ５１は罠固定用ワイヤ５０の端部を結着金具５２により結着することにより形成される。ねじれ防止金具４０は両方のループが自在に回転できるように構成されており、動物が罠にかかって暴れた際にワイヤがねじれて切断されるのを防止する。
【産業上の利用可能性】
【００１５】  以上説明したように、本考案による動物捕獲罠用ワイヤ装置はワイヤを縮径させる長さが半分にできるだけでなく、ワイヤ収束金具とワイヤとの摩擦を低減してワイヤの作動を円滑にでき、バネやワイヤの作動が円滑となり、さらにバネ付勢ネジの締め付け効果が増すため、有害動物捕獲に極めて有用である。
【図面の簡単な説明】
【００１６】
【図１】本考案による動物捕獲罠用ワイヤ装置の一実施例の全体図である。
【図２】（ａ）は図１に示した実施例のワイヤ収束金具の断面図、（ｂ）は平面図である。
【符号の説明】
【００１７】１０                捕獲ワイヤループ
１１                環状部
１２                接続用ループ
１３                係止部
１４                縮径ストッパー
２０                ワイヤ収束金具
２１                開口部
２２                内側周囲
２３                外側周囲
３０                バネ
３１                バネ保持筒
３２                バネ固定具
３３                バネ付勢ネジ
４０                ねじれ防止金具
５０                罠固定用ワイヤ
５１                接続ループ
５２                結着金具
【図１】
0003197593.tif 000003
【図２】
0003197593.tif 000004